(57)【特許請求の範囲】
【請求項１】
映像及び音声いずれか一方又は双方の信号を複数種類の信号フォーマットで出力できる信号出力系と、
外部の記録装置を制御して、上記信号出力系から出力される上記映像及び音声いずれか一方又は双方の信号を上記記録装置を介して記録媒体に記録させる制御手段と
を具え、
上記制御手段は、
接続される記録装置が上記映像及び音声いずれか一方又は双方の信号の入力信号フォーマットとして上記複数種類の信号フォーマットに対応している場合、その信号フォーマットの種類を項目ごとに選択可能に表示手段に表示し、選択された上記信号フォーマットの種類に対応させて、当該記録装置の上記入力信号フォーマットを設定する
ことを特徴とする編集装置。
【請求項２】
上記制御手段は、
上記信号フォーマットが上記映像信号及び音声信号をまとめて転送するものである場合、音声信号の信号フォーマットに対する上記項目を、選択不能に表示手段に表示する
ことを特徴とする請求項１に記載の編集装置。
【請求項３】
上記制御手段は、
接続される記録装置が上記音声信号の入力周波数として複数種類の周波数に対応している場合、その周波数の値を項目ごとに選択可能に表示手段に表示し、選択された上記周波数の値に対応させて、当該記録装置の上記音声信号の入力周波数を設定する
ことを特徴とする請求項１に記載の編集装置。
【請求項４】
上記制御手段は、
記録装置を制御するモードが選択されたときにのみ当該記録装置を制御して、上記入力信号フォーマットを設定する
ことを特徴とする請求項１に記載の編集装置。
【発明の詳細な説明】
【０００１】
【発明の属する技術分野】
本発明は編集装置に関し、例えば磁気テープに記録された映像音声信号及びハードディスクに記録された映像音声信号を用いた編集（ハイブリッド編集）を行い得るようになされた編集システムに適用して好適なものである。
【０００２】
【従来の技術】
従来、この種の編集システムにおいては、編集装置、ハードディスク装置及び複数台のビデオテープレコータから構成されており、編集装置が予め作成された編集リストに基づいてハードディスク装置や各ビデオテープレコーダを制御することにより、当該編集リストに基づく編集映像音声を得ることができるようになされている。
【０００３】
【発明が解決しようとする課題】
ところで近年のビデオテープレコーダの中には、入出力する映像音声信号の信号フォーマットとして、ＱＳＤＴ（以下、ＳＤＴＩ（Serial Data Transport Interface ）と呼ぶ）、ＳＤＩ（Serial Data Interface ）等のディジタル映像音声信号フォーマットや、コンポジット、Ｓ−ビデオ、コンポーネント等のアナログ映像信号フォーマット、アナログ音声信号フォーマット、並びにＡＥＳ（Audio Engineering Society ）及びＥＢＵ（European Broadcasting Union ）等のディジタル音声信号フォーマットなどの複数種類の信号フォーマットに対応し得るようになされたものがある。
【０００４】
かかるビデオテープレコーダでは、各信号フォーマットにそれぞれ対応させて複数の入出力端子が設けられており、これら各入出力端子をそれぞれ介して対応する信号フォーマットでの映像及び又は音声信号の入出力を行い得るようになされている。
【０００５】
そしてこのようなビデオテープレコーダが用いられた編集システムでは、編集装置側にも同様の機能及び入出力端子がそれぞれ設けられると共に、編集装置の各入出力端子がそれぞれビデオテープレコーダの対応する入出力端子とケーブル等を用いて接続され、編集装置及びビデオテープレコーダ間においてこれら各ケーブルを介して各種信号フォーマットでの映像音声信号の送受を行い得るようになされていた。
【０００６】
ところがかかる編集システムにおいては、例えば編集装置からビデオテープレコーダに映像音声信号を転送する場合、編集装置の出力信号フォーマットと、対応するビデオテープレコーダの入力信号フォーマットとの設定をそれぞれ個別に行う必要があった。
【０００７】
このため編集装置とビデオテープレコーダが離れて設置されているようなシステム構成の場合では、上述のような編集装置及び各ビデオテープレコーダに対する入出力信号の信号フォーマットの設定作業が煩雑となる問題があった。
【０００８】
また複数の編集システムでビデオテープレコーダを共有している場合では、上述のような編集装置及びビデオテープレコーダに対する入出力信号フォーマットの設定を頻繁に行う必要があり、このためこのような設定作業がオペレータの負担となる問題があった。
【０００９】
さらにビデオテープレコータの中には音声信号をそのチャンネル数に応じて異なる周波数（２チャンネルでは48〔ＫHz〕、４チャンネルでは32〔ＫHz〕）で記録再生するものもあり、このようなビデオテープレコーダでは設定項目が多いために設定を間違えやすい問題もあった。
【００１０】
従って上述のような編集システムにおいて、例えば編集装置及びビデオテープレコーダに対する入出力信号フォーマットの設定作業を容易化することができれば、オペレータの負担を緩和させて編集作業の作業効率を向上させ得るものと考えられる。
【００１１】
本発明は以上の点を考慮してなされたもので、編集作業の作業効率を格段的に向上させ得る編集装置を提案しようとするものである。
【００１２】
【課題を解決するための手段】
かかる課題を解決するため本発明は、編集装置において、接続される記録装置が映像及び又は音声信号の入力信号フォーマットとして複数種類の信号フォーマットに対応している場合に、その信号フォーマットの種類を項目ごとに選択可能に表示手段に表示し、選択された信号フォーマットの種類に対応させて、当該記録装置の入力信号フォーマットを設定するようにした。
【００１３】
この結果この編集装置では、オペレータが記録装置の設置場所まで出向いて当該記録装置に対して入力信号フォーマットを設定するのを省略させることができ、その分このような設定作業に対するオペレータの負担を緩和させることができる。
【００１４】
【発明の実施の形態】
以下図面について、本発明の一実施の形態を詳述する。
【００１５】
（１）本実施の形態による編集システムの構成
図１において、１は全体として本実施の形態による編集システムを示し、ビデオテテープに記録された映像音声信号の所望部分をクリップとして登録し得る一方、必要に応じて所望するクリップの映像音声信号をハードディスク装置２に取り込み得るようになされている。
【００１６】
またこの編集システム１では、登録された各クリップを所望状態に繋ぎ合わせて所望の編集映像音声を得るための編集内容を規定した編集リストを作成でき、さらにこの作成した編集リストに従って実際に編集処理を実行し、得られた編集映像及び編集音声をビデオテープに記録することができるようになされている。
【００１７】
すなわちこの編集システム１においては、ハードディスク装置２、編集装置３、当該編集装置３に接続された複数台のビデオテープレコーダ４、ディスプレイ装置５及び入力装置６から構成されている。
【００１８】
そして編集装置３は、コンピュータ１０、システム制御部１１、ディスク制御部１２、映像特殊効果処理部１３、ディジタル映像音声入出力部１４、音声処理部１６、ディジタル／アナログ変換器１７及びアナログ／ディジタル変換器１８から構成されている。
【００１９】
この場合編集装置３のコンピュータ１０は、初期時、ディスプレイ５に所定の操作画面（以下、これをメイン画面と呼ぶ）を表示させる。またコンピュータ１０は、この状態においてマウス及びキーボード等からなる入力装置６が操作されることによりクリップ登録モードが選択され、１台のビデオテープレコーダ４に対する再生動作命令が入力されると、これに応じた制御コマンドＣ１をシステム制御部１１に送出する。
【００２０】
システム制御部１１は、供給される制御コマンドＣ１に基づいて、対応するビデオテープレコーダ４を制御することにより、ビデオテープに記録された映像信号及び音声信号の再生動作を実行させる。
【００２１】
この結果このビデオテープレコーダ４からは、アナログ映像信号Ｓ１Ｖ及びアナログ音声信号Ｓ１Ａと、ディジタル映像信号Ｓ２Ｖ及びディジタル音声信号Ｓ２Ａとが出力され、アナログ映像信号Ｓ１Ｖ及アナログ音声信号Ｓ１Ａがそれぞれアナログ／ディジタル変換器１８においてディジタル変換された後、ディジタル映像信号Ｓ３Ｖ及びディジタル音声信号Ｓ３Ａとして映像特殊効果処理部１３又は音声処理部１６に与えられ、ディジタル映像信号Ｓ２Ｖ及びディジタル音声信号Ｓ２Ａがそれぞれディジタル映像音声入出力部１４を介して映像特殊効果処理部１３又は音声処理部１６に与えられる。
【００２２】
映像特殊効果処理部１３は、システム制御部１１の制御のもとに、供給される２系統のディジタル映像信号Ｓ２Ｖ、Ｓ３Ｖのうちの指定された一方のディジタル映像信号Ｓ２Ｖ、Ｓ３Ｖを取り込み、これを取込みディジタル映像信号Ｓ４Ｖとしてコンピュータ１０に与える。この結果ディスプレイ５には、コンピュータ１０の制御のもとに、この取込みディジタル映像信号Ｓ４Ｖに基づく映像がメイン画面上の所定位置に表示される。
【００２３】
またこれと共に映像特殊効果処理部１３は、取込みディジタル映像信号Ｓ４Ｖをディジタル／アナログ変換器１７に送出する。そしてディジタル／アナログ変換器１７は、この取込みディジタル映像信号Ｓ４Ｖをアナログ変換した後、得られたアナログ映像信号Ｓ５Ｖをモニタ７に送出する。この結果このアナログ映像信号Ｓ５Ｖに基づく映像がモニタ７にも表示される。
【００２４】
さらにこのとき音声処理部１６は、システム制御部１１の制御のもとに、供給される２系統のディジタル音声信号Ｓ２Ａ、Ｓ３Ａのうちの指定された一方を取り込み、これを取込みディジタル音声信号Ｓ４Ａとしてディジタル／アナログ変換器１７に送出する。
【００２５】
ディジタル／アナログ変換器１７は、供給される取込みディジタル音声信号Ｓ４Ａをアナログ変換した後、得られたアナログ音声信号Ｓ５Ａをヘッドホン端子８を介してヘッドホン９に送出する。この結果このアナログ音声信号Ｓ５Ａに基づく音声がヘッドホン９から出力される。
【００２６】
これによりこの編集システム１では、これらディスプレイ５及びモニタ７に表示された映像やヘッドホン９から出力される音声に基づいて、オペレータが入力装置６を介して映像及び音声の所望部分を指定することができ、さらにこれをクリップとしてそのイン点及びアウト点のタイムコード及びデュレーション（素材長）等の関連データをコンピュータ１０に登録することができるようになされている。
【００２７】
またコンピュータ１０は、このとき予め取込みモードが選択されている場合には、これに応じた制御コマンドＣ１をシステム制御部１１に送出する。
【００２８】
システム制御部１１は、供給される制御コマンドＣ１に基づいて、対応するビデオテープレコーダ４を制御することにより、指定されたクリップの映像音声を当該ビデオテープレコーダ４に再生させる。
【００２９】
またシステム制御部１１は、これと共に映像特殊効果処理部１３を制御することにより、上述の結果として当該映像特殊効果処理部１３に入力するディジタル映像信号Ｓ２Ｖ及びディジタル映像信号Ｓ３Ｖのうちの一方を取り込ませてこれを取込みディジタル映像信号Ｓ４Ｖとしてディスク制御部１２に送出させる。
【００３０】
さらにシステム制御部１１は、これと共に音声処理部１６を制御することにより、上述の結果として当該音声処理部１６に入力するディジタル音声信号Ｓ２Ａ及びディジタル音声信号Ｓ３Ａのうちの一方を取り込ませてこれを取込みディジタル音声信号Ｓ４Ａとしてディスク制御部１２に送出させる。
【００３１】
そしてこのときディスク制御部１２は、システム制御部１１の制御のもとに、映像特殊効果処理部１３から与えられる取込みディジタル映像信号Ｓ４Ｖと、音声処理部１６から与えられる取込みディジタル音声信号Ｓ４Ａとを順次取り込み、これらをハードディスク装置２に与えてハードディスクの指定されたアドレス位置に記録させる。
【００３２】
このようにしてこの編集システム１においては、指定されたクリップの映像音声をビデオテープから再生してハードディスク装置２に取り込むことができるようになされている。
【００３３】
一方コンピュータ１０は、上述のようにしてクリップが登録されると、ディスプレイ５に表示されているメイン画面内に登録されたクリップのリストを表示させる。
【００３４】
そしてオペレータは、このメイン画面を用いてどのクリップとどのクリップとをどのように繋ぎ合わせるかといった編集内容を規定した編集データを編集リストとして作成することができる。またオペレータは、編集リストの作成後又は作成途中において、その編集リストに基づく編集映像及び編集音声を確認することができる。
【００３５】
実際上、コンピュータ１０は、編集リストの作成後又は作成途中において、その編集リストに基づく編集映像音声のプレビューモードが選択されると、これに応じた制御コマンドＣ１をシステム制御部１１に送出する。
【００３６】
このときシステム制御部１１は、供給される制御コマンドＣ１に基づいて、必要時にビデオテープレコーダ４を制御することにより編集処理に利用するクリップの映像音声をビデオテープから再生させる一方、必要時にディスク制御部１２を制御することにより編集処理に利用するクリップの映像音声をハードディスク装置２から再生させる。
【００３７】
この結果映像特殊効果処理部１３には、ビデオテープレコーダ４からディジタル映像音声入出力部１４及びアナログ／ディジタル変換器１８をそれぞれ経由して必要なクリップのディジタル映像信号Ｓ２Ｖ及びディジタル映像信号Ｓ３Ｖが与えられる一方、ハードディスク装置２からディスク制御部１２を経由して必要なクリップのディジタル映像信号Ｓ６Ｖが与えられる。
【００３８】
またこれと共に音声処理部１６には、必要時にビデオテープレコーダ４からディジタル映像音声入出力部１４及びアナログ／ディジタル変換器１８をそれぞれ経由して必要なクリップのディジタル音声信号Ｓ２Ａ及びディジタル音声信号Ｓ３Ａが与えられる一方、ハードディスク装置２からディスク制御部１２を経由して必要なクリップのディジタル音声信号Ｓ４Ａが与えられる。
【００３９】
そして映像特殊効果処理部１３は、システム制御部１１の制御のもとに、供給されるディジタル映像信号Ｓ２Ｖ、Ｓ３Ｖ、Ｓ６Ｖの中から必要なディジタル映像信号Ｓ２Ｖ、Ｓ３Ｖ、Ｓ６Ｖを取り込み、当該ディジタル映像信号Ｓ２Ｖ、Ｓ３Ｖ、Ｓ６Ｖに対して必要に応じて指定された状態に特殊効果加工処理を施す。また映像特殊効果処理部１３は、このときコンピュータ１０から必要時に与えられるタイトル文字や各種グラフィック等の画像データを対応するクリップのディジタル映像信号Ｓ２Ｖ、Ｓ３Ｖ、Ｓ６Ｖ間に挿入、又はディジタル映像信号Ｓ２Ｖ、Ｓ３Ｖ、Ｓ６Ｖに重畳し、かくして得られたディジタル編集映像信号Ｓ７Ｖをコンピュータ１０及びディジタル／アナログ変換器１８に送出する。
【００４０】
またこのとき音声処理部１６は、システム制御部１１の制御のもとに、供給されるディジタル音声信号Ｓ２Ａ、Ｓ３Ａ、Ｓ６Ａの中から必要なディジタル音声信号Ｓ２Ａ、Ｓ３Ａ、Ｓ６Ａを取り込み、当該ディジタル音声信号Ｓ２Ａ、Ｓ３Ａ、Ｓ６Ａに対して必要に応じて指定された状態にミキング加工処理等の編集処理を施した後、かくして得られたディジタル編集音声信号Ｓ７Ａをディジタル／アナログ変換器１７に送出する。そしてこのディジタル編集音声信号Ｓ７Ａは、この後ディジタル／アナログ変換器１７においてアナログ変換された後、ヘッドホン端子８を介してヘッドホン９に与えられる。
【００４１】
この結果この編集システム１においては、ディスプレイ５に表示されたメイン画面上の所定位置やモニタ７にこのディジタル編集映像信号Ｓ７Ｖに基づく編集映像が表示されると共に、ヘッドホン９からディジタル編集音声信号Ｓ７Ａに基づく編集音声が出力され、かくしてオペレータが編集リストに基づく編集映像及び編集音声を確認することができる。
【００４２】
さらにコンピュータ１０は、編集リストが作成された後、入力装置６を介してその実行命令が入力されると（ダウンロードモードが選択されると）、これに応じた制御コマンドＣ１をシステム制御部１１に送出する。
【００４３】
このときシステム制御部１１は、供給される制御コマンドＣ１に基づいて、必要時に対応するビデオテープレコーダ４を制御することにより編集処理に利用するクリップの映像音声をビデオテープから再生させる一方、必要時にディスク制御部１２を制御することにより編集処理に利用するクリップの映像音声をハードディスク装置２から再生させる。
【００４４】
この結果映像特殊効果処理部１３には、上述のプレビューモード時と同様にしてビデオテープレコーダ４からディジタル映像音声入出力部１４及びアナログ／ディジタル変換器１８をそれぞれ経由して必要なクリップのディジタル映像信号Ｓ２Ｖ及びディジタル映像信号Ｓ３Ｖが与えられる一方、ハードディスク装置２からディスク制御部１２を経由して必要なクリップのディジタル映像信号Ｓ６Ｖが与えられる。
【００４５】
またこれと共に音声処理部１６には、上述の取込みモード時と同様にしてビデオテープレコーダ４からディジタル映像音声入出力部１４及びアナログ／ディジタル変換器１８をそれぞれ経由して必要なクリップのディジタル音声信号Ｓ２Ａ及びディジタル音声信号Ｓ３Ａが与えられる一方、ハードディスク装置２からディスク制御部１２を経由して必要なクリップのディジタル音声信号Ｓ６Ａが与えられる。
【００４６】
そして映像特殊効果処理部１３は、システム制御部１１の制御のもとに、上述のプレビューモード時と同様にして、供給されるディジタル映像信号Ｓ２Ｖ、Ｓ３Ｖ、Ｓ６Ｖの中から必要なディジタル映像信号Ｓ２Ｖ、Ｓ３Ｖ、Ｓ６Ｖを取り込み、当該ディジタル映像信号Ｓ２Ｖ、Ｓ３Ｖ、Ｓ６Ｖに対して必要に応じて特殊効果加工処理を施し、かくして得られたディジタル編集映像信号Ｓ７Ｖをディジタル映像音声入出力部１４及びディジタル／アナログ変換器１７に送出する。
【００４７】
また音声処理部１６は、システム制御部１１の制御のもとに、上述のプレビューモード時と同様にして、供給されるディジタル音声信号Ｓ２Ａ、Ｓ３Ａ、Ｓ６Ａの中から必要なディジタル音声信号Ｓ２Ａ、Ｓ３Ａ、Ｓ６Ａを取り込み、当該ディジタル音声信号Ｓ２Ａ、Ｓ３Ａ、Ｓ６Ａに対して必要に応じてミキング加工等の信号処理を必要に応じて施し、かくして得られたディジタル編集音声信号Ｓ７Ａをディジタル映像音声入出力部１４及びディジタル／アナログ変換器１７に送出する。
【００４８】
そしてディジタル映像音声入出力部１４は、供給されるディジタル編集映像信号Ｓ７Ｖ及びディジタル編集音声信号Ｓ７Ａに対して必要に応じてフォーマット変換処理を施し、得られた編集映像音声信号Ｓ８を対応するビデオテープレコーダ４に送出する。
【００４９】
またディジタル／アナログ変換器１７は、供給されるディジタル編集映像信号Ｓ７Ｖ及びディジタル編集音声信号Ｓ７Ａをアナログ変換し、得られた編集映像音声信号Ｓ９を対応するビデオテープレコーダ４に送出する。
【００５０】
そしてこのビデオテープレコーダ４は、システム制御部１１の制御のもとに、ディジタル映像音声入出力部１４から供給される編集映像音声信号Ｓ８と、ディジタル／アナログ変換器１７から供給される編集映像音声信号Ｓ９とのうちの指定されたいずれか一方を選択し、これをビデオテープの指定された位置に記録する。
【００５１】
このようにしてこの編集システム１では、作成された編集リストに従って指定されたクリップの映像音声を指定された状態に編集加工してビデオテープに記録（ダウンロード）することができるようになされている。
【００５２】
かかる構成に加えこの編集システム１の場合、編集装置３に接続された記録用のビデオテープレコーダ４の入力信号フォーマット及び入力音声周波数の設定を編集装置３側において行い得るようになされている。
【００５３】
すなわちこの編集システム１の場合、図２に示すように、編集装置３には、ＳＤＴＩ及びＳＤＩの各ディジタル映像音声信号フォーマットと、コンポジット、Ｓ−ビデオ及びコンポーネントの各アナログ映像信号フォーマットと、アナログ音声信号フォーマットと、ＡＥＳ／ＥＢＵのディジタル音声信号フォーマットとにそれぞれ対応させて７個の映像及び又は音声用の出力端子２０が設けられている。また記録用のビデオテープレコーダ４には、これら各映像及び又は音声フォーマットにそれぞれ対応させて７個の入力端子２１が設けられている。
【００５４】
そしてこれら編集装置３の各出力端子２０及び記録用のビデオテープレコーダ４の対応する入力端子２１はそれぞれケーブル２２を介して接続されると共に、編集装置３及び記録用のビデオテープレコーダ４は制御用ケーブル２３を介して接続されている。
【００５５】
これによりこの編集システム１においては、編集装置３から記録用のビデオテープレコーダ４に対して各ケーブル２２をそれぞれ介して対応する信号フォーマットで映像及び又は音声信号を転送し得、かつ制御用ケーブル２３を介して各種コマンドや情報を送受し得るようになされている。
【００５６】
この場合、編集装置３から記録用のビデオテープレコーダ４への映像音声信号の転送はいずれのケーブル２２を用いても行えるが、この映像音声信号をビデオテープに記録する際には、当該ビデオテープレコーダ４に対して、映像信号及び音声信号を取り込むケーブル２２の組み合わせ（映像信号及び音声信号の信号フォーマットの組み合わせ）として図３に示す８種類の組み合わせの中からいずれか１つを設定する必要がある。
【００５７】
このためこの編集システム１では、編集装置３の出力信号フォーマット及び出力音声周波数や、ビデオテープレコーダ４の入力信号フォーマット及び入力音声周波数をリモートコントロールにより操作するモード（以下、これをＶＴＲ入力設定コントロールモードと呼ぶ）を設定するためのダイアログをメイン画面上に表示させることができ、このダイアログにおいてデバイス入力設定コントロールモードを設定しておくことによって、編集装置３からビデオテープレコーダ４に映像音声信号を送出する際に、ビデオテープレコーダ４の入力信号フォーマット及び入力音声周波数を編集装置３の制御のもとに自動的に行うように設定し得るようになされている。
【００５８】
実際上、編集装置３のコンピュータ１０は、ＶＴＲ入力設定コントロールモードが設定された状態において、例えばダウンロードモードのように映像音声信号を記録用のビデオテープレコーダ４に送出してこれをビデオテープに記録させる動作モードの実行命令が入力されると、これに応じた制御コマンドＣ１をシステム制御部１１に送出する。
【００５９】
そしてシステム制御部１１は、この制御コマンドＣ１に基づいて、まず対応するビデオテープレコーダ４を制御用ケーブル２３を介して制御することにより、当該ビデオテープレコーダ４の入力信号フォーマット及び入力音声周波数を、それぞれ上述のダイアログを用いてオペレータが設定した編集装置３の出力信号フォーマット及び出力音声周波数と同じに設定させる。
【００６０】
さらにシステム制御部１１は、この後対応するビデオテープレコーダ４や、ディスク制御部１２、映像特殊効果処理部１３、ディジタル映像音声入出力部１４及び音声処理部１６などとを必要に応じて制御することにより、指定された映像音声信号（例えば編集映像音声信号Ｓ８、Ｓ９）を当該ビデオテープレコーダ４に送出させる。
【００６１】
このようにこの編集システム１においては、編集装置３を用いて記録用のビデオテープレコーダ４の入力信号フォーマット及び入力音声周波数を設定でき、これにより当該ビデオテープレコーダ４に対する煩雑な設定作業を容易化させ得るようになされている。
【００６２】
なお図４に記録用のビデオテープレコーダ４の信号入力段の構成を示す。この図４からも明らかなように、記録用のビデオテープレコーダ４の入力段には、ディジタル信号を圧縮符号化するための圧縮符号化器３０と、第１及び第２のアナログ／ディジタル変換器３１、３２と、第１〜第３のスイッチ３３〜３５とが設けられている。
【００６３】
そしてこのビデオテープレコーダ４の全体の制御を司るコントローラ３６は、制御用ケーブル２３を介して編集装置３のシステム制御部１１と接続され、当該システム制御部１１から与えられるコマンドに基づいて第１〜第３のスイッチ３３〜３５を切換え制御することにより、映像音声信号を入力するケーブル２２を設定（入力信号フォーマットを設定）するようになされている。
【００６４】
（２）編集装置３のコンピュータ１０の構成
ここで編集装置３のコンピュータ１０は、図４に示すように、ＣＰＵ（Central Processing Unit ）４０、ＲＯＭ（Read Only Memory）４１、ＲＡＭ（Random Access Memory）４２、表示処理部４３、タイトル／グラフィック生成部４４、インターフェース回路４５、４６及びＳＣＳＩ（Small Computer System Interface ）インターフェース回路４７がＣＰＵバス４８を介して接続されることにより構成されており、各インターフェース回路４５、４６をそれぞれ介して入力装置６のマウス６Ａ及びキーボード６Ｂと接続され、ＳＣＳＩインターフェース回路４７を介してハードディスク装置４９と接続されている。
【００６５】
この場合ＣＰＵ４０は、ＲＯＭ４１に格納されたプログラムに基づいて、必要に応じてＲＯＭ４１内の画像データを読み出し、これを表示処理部４３を介してディスプレイ５に与えることにより、後述のようなメイン画面や各種ダイアログ、マウス操作に応動してメイン画面内を移動するカーソル及びキーボード６Ｂを介して入力された数字や文字などをディスプレイ５に表示させ、かつ映像特殊効果処理部１３からタイトル／グラフィック生成部４４を介して表示処理部４３に与えられるディジタル映像信号Ｓ４Ｖやディジタル編集映像信号Ｓ７Ｖに基づく動画像や静止画像をメイン画面内の所定位置に表示させる。
【００６６】
またＣＰＵ４０は、例えばマウス６Ａやキーボード６Ｂが操作されることにより所定処理の実行命令がインターフェース回路４５、４６を介して与えられると、ＲＯＭ４１に格納されたプログラムに基づいて、必要に応じてシステム制御部１１に制御コマンドＣ１を送出することにより、当該システム制御部１１を介して対応するビデオテープレコーダ４、ディスク制御部１２（図１）、映像特殊効果処理部１３、ディジタル映像音声入出力部１４（図１）及び音声処理部１６（図１）等に所定動作を実行させ、かくして編集システム１全体として上述したような各種処理を実行させる。
【００６７】
さらにＣＰＵ４０は、ＲＯＭ４１に格納されたプログラムに基づいて、必要時にはタイトル／グラフィック生成部４４を制御してタイトル文字やグラフィックの画像データを生成させてこれを映像特殊効果処理部１３に送出させ、かくしてこれらタイトル文字やグラフィックを編集映像に反映させるようになされている。
【００６８】
（３）メイン画面における操作手順
ここで実際上ＣＰＵ４０は、電源が投入された立ち上がり時、ＲＯＭ４１に格納されているプログラムに基づいて、まず図６に示すようなメイン画面５０をディスプレイ５に表示させる。
【００６９】
このメイン画面５０には、オペレータが所望する処理内容を選択するためのメニュー欄５１及び複数のボタン５２Ａ〜５２Ｑと、登録された各クリップのリスト等を表示するためのクリップ情報表示部５３と、編集リスト作成時における各種処理を指定するための複数のボタン５４Ａ〜５４Ｔと、編集リストを作成するための編集リスト作成部５５とが設けられている。
【００７０】
そしてこのメイン画面５０では、画面上段のビデオクリップエディットボタン５２Ｋをクリックすることによつて、図７のようなビデオクリップエディットダイアログ６０、ライブ映像表示ダイアログ６１及び音声レベル表示ダイアログ６２をメイン画面５０上に重ねて表示させることができる。
【００７１】
この場合ビデオクリップエディットダイアログ６０では、左側上段に各ビデオテープレコーダ４にそれぞれ対応させてソース選択ボタン７０Ａ〜７０Ｄが複数表示されており、マウス操作によりこれらソース選択ボタン７０Ａ〜７０Ｄのうちのいずれか１つをクリックすることにより所望の１台のビデオテープレコーダ４を選択することができる。
【００７２】
そしてオペレータは、いずれかのソース選択ボタン７０Ａ〜７０Ｄを選択した後、当該ビデオクリップエディットダイアログ６０内に表示されたいずれかのビデオ操作用ボタン７１をクリツクすることによつて、対応するビデオテープレコーダ４に選択したビデオ操作用ボタン７１に応じた動作を実行させることができる。なおビデオクリップエディットダイアログ６０内のスライダ７２をドラッグ操作することによつても、同様にして対応するビデオテープレコーダ４に再生動作を実行させることができる。
【００７３】
そしてこのときビデオテープレコーダ４に再生動作や変速再生動作を実行させた場合、当該ビデオテープレコーダ４によりビデオテープから再生された映像がこのライブ映像表示ダイアログ６１内のライブ映像表示部７３内に表示され、各音声チャンネルの音声レベルが音声レベル表示ダイアログ６２内にメータ表示される。
【００７４】
かくしてオペレータは、このライブ映像表示部７３内に表示された映像を目視確認しながらイン点指定用ボタン７４又はアウト点指定用ボタン７５をクリックすることによつてクリップとして登録しようとする映像部分のイン点及びアウト点を指定することができる。そしてこのとき指定されたイン点及びアウト点の画像がそれぞれビデオクリップエディットダイアログ６０のイン点画像表示部７６又はアウト点画像表示部７７内に表示される。
【００７５】
またこのときイン点又はアウト点として指定された各画像のビデオテープにおけるタイムコードがそれぞれビデオクリップエディットダイアログ６０のイン点タイムコード表示部７８又はアウト点タイムコード表示部７９に表示され、指定されたクリップの素材長（デュレーション）がデュレーション表示部８０に表示される。
【００７６】
なおビデオクリップエディットダイアログ６０では、コマ送りボタン８１Ａ、８１Ｂをクリックすることによつて、ライブ映像表示ダイアログ６１内に表示された映像を順方向又は逆方向にコマ送り表示させることができ、またライブ映像移動ボタン８２Ａ、８２Ｂをクリックすることによつてライブ映像表示ダイアログ６１内の表示画像をイン点又はアウト点まで移動させることができる。
【００７７】
そしてオペレータは、上述のようにしてクリップのイン点及びアウト点を指定した後登録ボタン８３をクリックすることによつて、その映像のイン点からアウト点までの部分をクリップとして登録することができる。
【００７８】
このときディスプレイ５に表示されているそのクリップのイン点及びアウト点のタイムコードや、素材長及び保存位置（ビデオテープ又はハードディスク装置２内）等の関連データがデータベースとしてコンピュータ１０（図５）内のＲＡＭ４２に取り込まれる。またこのようにして登録したクリップのイン点及びアウト点のタイムコードや素材長等の関連データが図８のようにメイン画面５０のクリップ情報表示部５３内に表示される。
【００７９】
さらにこのとき図示しない設定画面上で予め取込みモードを選択している場合には、このクリップの映像音声が上述のようにしてハードディスク装置２に取り込まれ、かつそのクリップの保存位置がハードディスク装置２内であることを表すデータ（例えばフラグ）がデータベース内の対応する位置に格納される。
【００８０】
因にこのときこの編集装置３では、このクリップの映像信号及び音声信号を指定された範囲（すなわち指定されたイン点からアウト点まで）よりも前後所定時間分（例えば２秒分）だけ余分にハードディスク装置２に取り込む。またこのとき例えば上述の設定画面上で予めリンクモードが選択されている場合には映像及び音声がデータとしてリンクしてハードディスク装置２に取り込まれる一方、ノンリンクモードを選択している場合には映像及び音声がデータとしてリンクされないでハードディスク装置２に取り込まれる。
【００８１】
そしてビデオクリップエディットダイアログ６０では、ニューエディットボタン８４をクリックすることによつて初期状態に戻すことができ、これによりオペレータがこの後上述と同様の手順により他のクリップを順次登録することができる。
【００８２】
またこのビデオクリップエディットダイアログ６０では、リプレイスボタン８５をクリックした後、所望するクリップを選択することによって、当該クリップのイン点及びアウト点等の設定を更新することができ、さらに右上に表示されたクローズボタン８６をクリックすることによってこのビデオクリップエディットダイアログ６０をクローズさせることができる。
【００８３】
一方オペレータは、上述のようにしてメイン画面５０のクリップ情報表示部５３に登録されたクリップのリストが表示された状態（図８）において、このメイン画面５０の編集リスト作成部５５を利用して以下の方法により編集リストを作成することができる。
【００８４】
この場合まずマウス操作によりクリツプ情報表示部５３内の所望のクリップの段にカーソルを合わせた後、マウス６Ａ（図５）のボタンを押下するようにして１つのクリップを指定し、その状態のままカーソルを、編集リスト作成部５５のタイムスケール５５Ａを指標として、第１又は第２のビデオトラック５５Ｃ、５５Ｅ内の所望位置に移動させた後、マウス６Ａのボタンを放すようにする。
【００８５】
この結果図９に示すように、この第１又は第２のビデオトラツク５５Ｃ、５５Ｅ内にそのときのカーソルの位置を先頭として、上述のようにして指定されたクリップの素材長に応じた長さの枠９０Ａ〜９０Ｄが表示される。またこのときそのクリップの映像と音声がリンクされて登録されている場合には、その枠９０Ａ〜９０Ｄが表示された第１又は第２のビデオトラック５５Ｃ、５５Ｄと対応する第１又は第２のオーディオトラック５５Ｇ、５５Ｈ上に第１又は第２のビデオトラック５５Ｃ、５５Ｅ内に表示された枠９０Ａ〜９０Ｄとタイムスケール５５Ａ上で同じ位置に同じ長さの枠９１Ａ〜９１Ｄが表示される。
【００８６】
そしてオペレータは、上述のような操作を繰り返し行い、タイムスケール５５Ａの始めのタイムコード（「00:00.00:00 」）から所望するタイムコードまで（すなわち所望する時間分だけ）タイムスケール５５Ａ上において連続するように、第１又は第２のビデオトラック５５Ｃ、５５Ｅと、第１又は第２のオーディオトラック５５Ｇ、５５Ｈとに順次枠９０Ａ〜９０Ｄ、９１Ａ〜９１Ｄを表示させるようにする。
【００８７】
ここでこのように編集リスト表示部５５の第１又は第２のビデオトラック５５Ｃ、５５Ｅや、第１又は第２のオーディオトラック５５Ｇ、５５Ｈに枠９０Ａ〜９０Ｄ、９１Ａ〜９１Ｄが表示されることは、編集映像音声の出力時にタイムスケール５５Ａで表された時間にその枠９０Ａ〜９０Ｄ、９１Ａ〜９１Ｄに対応するクリップの映像が表示され又は音声が出力されることを意味する。従つてこのような操作により編集映像として表示され、又は編集音声として出力されるクリップ映像又は音声を順次規定してなる編集リストを作成することができる。
【００８８】
なおこのようにして編集リストを作成する際、例えば第１のクリップの映像から第２のクリップの映像への切り換わり時に映像特殊効果処理を施したいときには、先行する第１のクリップに対応する第１の枠９０Ａを一方の第１又は第２のビデオトラック５５Ｃ、５５Ｅに表示させると共に、当該第１の枠９０Ａの後側の一部とその前側の一部がタイムスケール５５Ａでのタイムコードが重なるように、後行する第２のクリップに対応する第２の枠９０Ｂを他方の第２又は第１のビデオトラック５５Ｅ、５５Ｃ上に表示させる。
【００８９】
続いて画面中段部のセレクトエフェクトボタン５４Ｒをクリックする。この結果メイン画面５０上に、例えば図１０のような実行できる各種映像特殊効果処理の内容を表すアイコン（以下、これらをエフェクトアイコンと呼ぶ）９３Ａ〜９３Ｙが複数表示された所定のダイアログ（以下、これをセレクトエフェクトダイアログと呼ぶ）９２を表示させることができる。
【００９０】
次いで所望する映像特殊効果処理のエフェクトアイコン９３Ａ〜９３Ｇ上にカーソルを移動させ、この後マウス６Ａ（図５）のボタンを押下し、その状態でカーソルを上述の編集リスト作成部５５のエフェクトトラック５５Ｄにおける第１及び第２の枠９０Ａ、９０Ｂがタイムスケール５５Ａ上でタイムコードが重なり合う部分に移動させてマウス６Ａのボタンを放す（ドラッグアンドドロップ）するようにする。
【００９１】
この結果セレクトエフェクトダイアログ９２内のドラッグされたエフェクトアイコン９３Ａ〜９３Ｙが画面上をカーソルと一体に移動してドロップされた位置に貼り付けられた状態に表示される。
【００９２】
これにより一方の第１又は第２のビデオトラック５５Ｃ、５５Ｅに表示された第１の枠９０Ａに対応するクリップの映像と、他方の第２又は第１のビデオトラック５５Ｅ、５５Ｃに表示された第２の枠９０Ｂに対応するクリップの映像との繋ぎ部分において上述のようにして貼り付けられたエフェクトアイコン９３Ａ〜９３Ｙに応じた映像特殊効果処理を実行すべき旨の指示を入力することができる。
【００９３】
またこのようにして編集リストを作成した後又は編集リストの作成時に、メイン画面５０の画面中段に表示されたプレビューボタン５４Ｄをクリックしてプレビューモードを選択することによつて、上述のようにこの編集リストに基づく編集映像をモニタ７（図１）に表示させ、また当該編集リストに基づく編集音声をヘッドホン９から出力させることができる。
【００９４】
さらに上述のようにして編集リストを作成した後、メイン画面５０の画面中段に表示された記録ボタン５４Ｇをクリックしてダウンロードモードを選択することによつて、上述のように当該編集リストに基づく編集処理を実行させ、かくして得られた編集映像及び編集音声を予め指定したビデオテープレコーダ４を介してビデオテープに記録させることができる。
【００９５】
なおダウンロードは、メイン画面５０の画面上段に設けられたメニュー欄５１の「Tools 」を選択して図示しないツールダイアログを表示させた後、さらにその中の「ダウンロード」を選択して図示しないダウンロードダイアログを表示させ、当該ダウンロードダイアログ内のＯＫボタンをクリックすることによっても実行させることができる。
【００９６】
（４）デバイス設定ダイアログ１００
一方メイン画面５０では、上段に設けられたメニュー欄５１の「Settings」を選択し、かくして表示される図示しないダイアログ内に表示された「デバイス」を選択することによって、図１１に示すようなデバイス設定ダイアログ１００を表示させることができる。
【００９７】
そしてオペレータは、このデバイス設定ダイアログ１００を用いて編集装置３及び各ビデオテープレコーダ４間の通信に関する各種設定をそれぞれビデオテープレコーダ４毎に設定することができる。
【００９８】
実際上このデバイス設定ダイアログ１００では、編集装置３に接続された各ビデオテープレコーダ４（この図１１においては、再生用に３台（「Player１」、「Player２」、「Aux 」）と、記録用に１台（「Recoder 」））にそれぞれ対応させてタブ１０１Ａ〜１０１Ｄが表示される。
【００９９】
そして各タブ１０１Ａ〜１０１Ｄ内の上段にはＶＴＲタイプ表示欄１０２が設けられており、このＶＴＲタイプ表示欄１０２内に「自動検出」及び「ユーザ」の文字と、これらの文字にそれぞれ対応させていずれか一方のみをオン状態とすることのできる第１及び第２の選択ボタン１０３Ａ、１０３Ｂとが表示される。
【０１００】
そしてオペレータは、第１及び第２の選択ボタン１０３Ａ、１０３Ｂのいずれか一方をマウス操作により選択することができ、例えば第１の選択ボタン１０３Ａを選択することによって、対応するビデオテープレコーダ４の機種を自動的に検出させてこれをＶＴＲタイプ表示部１０４内に表示させることができる。
【０１０１】
実際上このとき編集装置３では、コンピュータ１０（図１）内のＣＰＵ４０（図５）が制御用ケーブル２３（図２）を介して対応するビデオテープレコーダ４のコントローラ３６（図４）にアクセスして当該ビデオテープレコーダ４の機種を聞き出し、これをＶＴＲタイプ表示部１０４内に表示させる。
【０１０２】
また例えば第２の選択ボタン１０３Ｂを選択することによって、ビデオテープレコーダ４の機種をキーボード６Ｂ（図５）を介して入力することができ、このとき入力された機種名がＶＴＲタイプ表示部１０４内に表示させる。
【０１０３】
一方ＶＴＲタイプ表示欄１０２の下側には、タイムコードタイプ表示部１０５、カラーフレーム精度表示部１０６、入力ビデオフォーマット表示部１０７、調整精度表示部１０８、ＯＤＳＩポート表示部１０９がそれぞれ表示されており、これら各表示部１０５〜１０９内に、オペレータにより設定された対応するビデオテープレコーダ４におけるタイムコードタイプ、カラーフレーム精度（２フレーム、４フレーム（ＮＴＳＣ方式）又は８フレーム（ＰＡＬ方式）のいずれを単位とする編集かの精度）、入力映像信号フォーマット、調整精度（ビデオテープレコーダ４からの入力フレームのずれの精度）、映像音声信号出力時におけるＳＤＴＩのポートがそれぞれ表示される。
【０１０４】
なおこれらタイムコードタイプ、カラーフレーム精度、入力映像信号フォーマット、調整精度、映像音声信号出力時におけるＳＤＴＩポートの選択は、それぞれ対応する各表示部１０５〜１０９の右横にそれぞれ表示されたプルダウンボタン１１０Ａ〜１１０Ｅをクリックすることによってオープンさせることのできるダイアログを用いてそれぞれ行うことができる。
【０１０５】
さらにデバイス設定ダイアログ１００における記録用のビデオテープレコーダ４に対応するタブ１０１Ｄの下側には、出力信号設定部１１１が設けられている。
【０１０６】
この場合出力信号設定部１１１には、出力映像信号フォーマット設定表示部１１２、出力音声信号フォーマット設定表示部１１３及び出力音声周波数設定表示部１１４が設けられている。そしてこの出力信号設定部１１１では、出力映像信号フォーマット設定表示部１１２の右横に表示されたプルダウンボタン１１５Ａをクリックすることによって、図１２に示すような編集装置３から出力できる幾つかの映像信号の信号フォーマット名が表示された出力映像信号フォーマット選択ダイアログ１１６をプルダウン表示させることができる。
【０１０７】
そしてオペレータは、編集装置３から記録用のビデオテープレコーダ４に出力する映像信号の信号フォーマットとして所望する信号フォーマットを、この出力ビデオフォーマット選択ダイアログ１１６に表示された各信号フォーマット名の中から対応する信号フォーマット名をマウス操作によりクリックするようにして選択することができ、このとき選択した映像信号の信号フォーマット名が出力映像信号フォーマット設定表示部１１２内に表示される。なお上述のようにして出力映像信号信号フォーマットを選択すると、出力映像信号フォーマット選択ダイアログ１１６はクローズする。
【０１０８】
また出力信号設定部１１１では、出力音声信号フォーマット設定表示部１１３の右横に表示されたプルダウンボタン１１５Ｂをクリックすることによって、図１３に示すような編集装置３から出力できる幾つかの音声信号の信号フォーマット名が表示された出力音声信号フォーマット選択ダイアログ１１７をプルダウン表示させることができる。
【０１０９】
そしてオペレータは、編集装置３から記録用のビデオテープレコーダ４に出力する音声信号の信号フォーマットとして所望する信号フォーマットを、この出力音声信号フォーマット選択ダイアログ１１７に表示された各信号フォーマット名の中から対応する信号フォーマット名をマウス操作によりクリックするようにして選択することができ、このとき選択した音声信号の信号フォーマット名が出力音声信号フォーマット設定表示部１１３内に表示される。
【０１１０】
なお出力映像信号フォーマットとしてＳＤＴＩ又はＳＤＩのいずれかの信号フォーマットが選択されている場合には、ＳＤＴＩ又はＳＤＩが映像信号及び音声信号をまとめて転送する信号フォーマットであるため、出力音声信号フォーマット選択ダイアログ１１７内の各信号フォーマット名は無効表示される（すなわち選択できない）。また出力音声信号フォーマット選択ダイアログ１１７は、上述のようにして信号フォーマットを選択するとクローズする。
【０１１１】
さらに出力信号設定部１１１では、出力音声周波数設定表示部１１４の右横に表示されたプルダウンボタン１１５Ｃをクリックすることによって、図１４に示すような編集装置３から出力できる幾つかの音声信号の周波数が表示された出力音声周波数選択ダイアログ１１８をプルダウン表示させることができる。
【０１１２】
そしてオペレータは、編集装置３から記録用のビデオテープレコーダ４に音声信号を転送する際の当該音声信号の周波数（又はチャンネル数）として所望する周波数を、この出力音声周波数選択ダイアログ１１８に表示された各数字の中から対応する数字をマウス操作により指定するようにして選択することができ、このとき選択した周波数を表す数字が出力音声周波数設定表示部１１４内に表示される。なお上述のようにして周波数を選択すると、出力音声周波数選択ダイアログ１１８はクローズする。
【０１１３】
さらに出力信号設定部１１１では、出力映像信号フォーマット設定表示部１１２の下側に「ＶＴＲ  リモートコントロール」の文字と、チェックボックス１１９が表示される。
【０１１４】
そしてオペレータは、上述のＶＴＲ入力設定コントロールモードを設定したい場合にはこのチェックボックス１１９をクリックすれば良く、このときチェックボックス１１９内にはチェックマークが表示される。
【０１１５】
なおこのデバイス設定ダイアログ１００は、下段に表示されたＯＫボタン１２０をクリックすることによってクローズさせることができ、このときこのデバイス設定ダイアログ１００を用いて選択した各種設定がコンピュータ１０に取り込まれて当該コンピュータ１０内部において設定（すなわち各種設定内容がハードディスク装置４９（図５）に取り込まれて記憶）される。
【０１１６】
またこのデバイス設定ダイアログ１００は、下段に表示されたキャンセルボタン１２１をクリックすることによってもクローズさせることができ、このときにはこのデバイス設定ダイアログ１００を用いて今回選択した各種設定がキャンセルされ、先行して選択された各ビデオテープレコーダ４との間の通信に関する各種設定が継続される。
【０１１７】
（５）デバイス設定処理手順ＲＴ１
ここで編集装置３においては、上述のようにしてＶＴＲ入力設定コントロールモードが設定された場合、ビデオテープレコーダ４に映像音声信号を送出する際にシステム制御部１１が図１５及び図１６に示すＶＴＲ入力設定コントロール処理手順ＲＴ１に従って各種処理を順次実行することにより、対応するビデオテープレコーダ４の入力映像信号フォーマット、入力音声信号フォーマット及び入力音声周波数を設定する。
【０１１８】
すなわちシステム制御部１１は、編集装置３からビデオテープレコーダ４に映像音声信号を送出してこれをビデオテープに記録させるべき制御コマンドＣ１がコンピュータ１０から与えられると、このＶＴＲ入力設定コントロール処理手順ＲＴ１をステップＳＰ１において開始し、続くステップＳＰ２において、デバイス設定ダイアログ１００（図１１）の出力信号設定部１１１のチェックボックス１１９がチェックされているか否かと、対応するビデオテープレコーダ４がコントロール可能な機種であるか否かとに基づいて、対応するビデオテープレコーダ４の入力映像信号フォーマット、入力音声信号フォーマット及び入力音声周波数の設定を行うか否かを判断する。
【０１１９】
そしてシステム制御部１１は、このステップＳＰ２において否定結果を得るとステップＳＰ１６に進み、これに対して肯定結果を得るとステップＳＰ４に進んでデバイス設定ダイアログ１００の出力信号設定部１１１において設定された出力映像信号フォーマットを判定する。
【０１２０】
そしてシステム制御部１１は、このステップＳＰ３において出力映像信号フォーマットとしてコンポジット、Ｓ−ビデオ又はコンポーネントのいずれかの信号フォーマットが選択されていることを確認した場合には、ステップＳＰ４に進んで対応するビデオテープレコーダ４のコントローラ３６（図４）を制御することにより、当該ビデオテープレコーダ４の入力映像信号フォーマットをデバイス設定ダイアログ１００の出力信号設定部１１１において選択された信号フォーマットに設定させる。
【０１２１】
さらにシステム制御部１１は、この後ステップＳＰ５に進んでデバイス設定ダイアログ１００の出力信号設定部１１１において設定された出力音声信号フォーマットを判定し、アナログフォーマットが選択されている場合には、ステップＳＰ６に進んで対応するビデオテープレコーダ４のコントローラ３６を制御することにより、当該ビデオテープレコーダ４の入力音声信号フォーマットをアナログフォーマットに設定させた後ステップＳＰ１２に進む。
【０１２２】
これに対してシステム制御部１１は、ＡＥＳ／ＥＢＵフォーマットが選択されている場合には、ステップＳＰ７に進んで対応するビデオテープレコーダ４のコントローラ３６を制御することにより、当該ビデオテープレコーダ４の音声信号の入力音声信号フォーマットをＡＥＳ／ＥＢＵフォーマットに設定させた後ステップＳＰ１２に進む。
【０１２３】
一方システム制御部１１は、ステップＳＰ３において出力映像信号フォーマットとしてＳＤＩフォーマットが選択されていることを確認した場合には、ステップＳＰ９に進んで対応するビデオテープレコーダ４のコントローラ３６を制御することにより、当該ビデオテープレコーダ４の入力映像信号フォーマットをＳＤＩフォーマットに設定させる。
【０１２４】
そしてシステム制御部１１は、この後ステップＳＰ９に進んで対応するビデオテープレコーダ４のコントローラ３６を制御することにより、当該ビデオテープレコーダ４の入力音声信号フォーマットもＳＤＩフォーマットに設定させた後、ステップＳＰ１２に進む。
【０１２５】
これに対してシステム制御部１１は、ステップＳＰ３において出力映像信号フォーマットとしてＳＤＴＩフォーマットが選択されていることを確認した場合には、ステップＳＰ１０に進んで対応するビデオテープレコーダ４のコントローラ３６を制御することにより、当該ビデオテープレコーダ３６の入力映像信号フォーマットをＳＤＴＩフォーマットに設定させる。
【０１２６】
そしてシステム制御部１１は、この後ステップＳＰ１１に進んで対応するビデオテープレコーダ４のコントローラ３６を制御することにより、当該ビデオテープレコーダ４の入力音声信号フォーマットもＳＤＴＩフォーマットに設定させた後、ステップＳＰ１２に進む。
【０１２７】
さらにシステム制御部１１は、この後ステップＳＰ１２においてビデオテープレコーダ４に対して入力音声周波数を設定する必要があるか否かを判断し、否定結果を得るとステップＳＰ１６に進み、これに対して肯定結果を得るとステップＳＰ１３に進んでデバイス設定ダイアログ１００の出力信号設定部１１１において設定された出力音声周波数が32〔ＫHz〕及び48〔ＫHz〕のいずれであるかを判断する。
【０１２８】
そしてシステム制御部１１は、このステップＳＰ１３において、設定された出力音声周波数が48〔ＫHz〕であることを確認した場合には、ステップＳＰ１４に進んで対応するビデオテープレコーダ４のコントローラ３６を制御することにより、当該ビデオテープレコーダ４の入力音声周波数を48〔ＫHz〕に設定させた後ステップＳＰ１６に進む。
【０１２９】
これに対してシステム制御部１１は、ステップＳＰ１３において、設定された出力音声信号の周波数が32〔ＫHz〕であることを確認した場合には、ステップＳＰ１５に進んで対応するビデオテープレコーダ４のコントローラ３６を制御することにより、当該ビデオテープレコーダ４の入力音声周波数を32〔ＫHz〕に設定させた後ステップＳＰ１６に進む。
【０１３０】
そしてシステム制御部１１は、この後このステップＳＰ１６において必要なビデオテープレコーダ４やハードディスク装置２等を制御することにより、指定された映像音声信号を対応するビデオテープレコーダ４に送出させて、これを当該ビデオテープレコーダ４を介してビデオテープに記録させた後、ステップＳＰ１７に進んでこのＶＴＲ入力設定コントロール処理手順ＲＴ１を終了する。
【０１３１】
（６）本実施の形態の動作及び効果
以上の構成において、この編集システム１では、ディスプレイ５に表示されるデバイス設定ダイアログ１００の出力信号設定部１１１において出力映像信号フォーマット、出力音声信号フォーマット及び出力音声周波数を設定しておき、チェックボックス１１９をチェックしておくことによって、例えばダウンロードモード時のように編集装置３から出力される映像音声信号をビデオテープに記録する際に、対応するビテオテープレコーダ４の入力映像信号フォーマット、入力音声信号フォーマット及び入力音声周波数をそれぞれデバイス設定ダイアログ１００の出力信号設定部１１１において設定した出力映像信号フォーマット、出力音声信号フォーマット及び出力音声周波数と同じに自動的に設定することができる。
【０１３２】
従ってこの編集システム１では、ダウンロードモード時等において、編集装置３の出力映像信号フォーマット、出力音声信号フォーマット及び出力音声周波数と、ビデオテープレコーダの入力映像信号フォーマット、入力音声信号フォーマット及び入力音声周波数とをそれぞれ個別に設定する必要がなく、その分これら各種設定作業を簡易化させることができる。
【０１３３】
以上の構成によれば、編集装置３が、予め設定された出力映像信号フォーマット、出力音声信号フォーマット及び出力音声周波数の設定に応じて、ダウンロードモード時等に対応するビデオテープレコーダ４の入力映像信号フォーマット、入力音声信号フォーマット及び入力音声周波数をそれぞれ編集装置３の出力映像信号フォーマット、出力音声信号フォーマット及び出力音声周波数と同じに設定するように当該ビデオテープレコーダ４を制御するようにしたことにより、各種設定作業を簡易化させることができ、かくして編集作業の作業効率を格段的に向上させ得る編集装置を実現できる。
【０１３４】
（７）他の実施の形態
なお上述の実施の形態においては、本発明をハイブリット編集を行い得るようになされた編集システム１に適用するようにした場合について述べたが、本発明はこれに限らず、リニア編集又はノンリニア編集を行い得るようになされたこの他種々の構成の編集システムに広く適用することができる。
【０１３５】
また上述の実施の形態においては、編集装置３の制御対象がビデオテープレコーダ４である場合について述べたが、本発明はこれに限らず、これ以外のこの他種々の記録装置である場合にも本発明を広く適用することができる。
【０１３６】
さらに上述の実施の形態においては、編集装置の出力映像信号フォーマット、出力音声信号フォーマット及び出力音声周波数を設定（すなわちビデオテープレコーダの入力映像信号フォーマット、入力音声信号フォーマット及び入力音声周波数を設定）する設定画面（本実施の形態においてはデバイス設定ダイアログ１００）を１つとする場合について述べたが、本発明はこれに限らず、これらの設定を別々の設定画面において行い得るようにしても良い。
【０１３７】
さらに上述の実施の形態においては、編集装置３から出力する映像音声信号を記録媒体（本実施の形態においてはビデオテープ）に記録する記録装置（本実施の形態においてはビデオテープレコーダ４）が映像及び又は音声の信号フォーマットとしてＳＤＴＩ、ＳＤＩ、コンポジット、Ｓ−ビデオ、コンポーネント、アナログ音声及びＡＥＳ／ＥＢＵに対応している場合について述べたが、本発明はこれに限らず、これ以外の信号フォーマットに対応している場合においても本発明を広く適用することができる。
【０１３８】
さらに上述の実施の形態においては、映像及び又は音声信号を複数種類の信号フォーマットで出力できる信号出力系をディジタル映像音声入出力部１４と、ディジタル／アナログ変換器１７と、アナログ／ディジタル変換器１８とで構成するようにした場合について述べたが、本発明はこれに限らず、この他種々の構成を広く適用することができる。
【０１３９】
さらに上述の実施の形態においては、ビデオテープレコーダ４を制御して、編集装置３から出力される映像音声信号をビデオテープに記録させる制御手段を、編集装置３の各処理部を制御するシステム制御部１１で併用するようにした場合について述べたが、本発明はこれに限らず、このような制御手段をシステム制御部１１とは別に別途設けるようにしても良い。
【０１４０】
【発明の効果】
上述のように本発明によれば、編集装置において、接続される記録装置が映像及び又は音声信号の入力信号フォーマットとして複数種類の信号フォーマットに対応している場合に、その信号フォーマットの種類を項目ごとに選択可能に表示手段に表示し、選択された信号フォーマットの種類に対応させて、当該記録装置の入力信号フォーマットを設定するようにしたことにより、記録装置の入力信号フォーマットの設定作業に対するオペレータの負担を緩和させることができ、かくして編集作業の作業効率を格段的に向上させ得る編集装置を実現できる。
【図面の簡単な説明】
【図１】本実施の形態による編集システムの構成を示すブロック図である。
【図２】編集装置及び各ビデオテープレコーダ間の接続を示す略線図である。
【図３】本編集システムにおいて使用するケーブルの組み合わせの説明に供する略線図である。
【図４】ビデオテープレコーダの一部構成を示すブロック図である。
【図５】コンピュータの構成を示すブロック図である。
【図６】メイン画面の構成を示す略線図である。
【図７】ビデオクリップエディットダイアログ、ライブ映像表示ダイアログ及び音声レベル表示ダイアログを示す略線図である。
【図８】メイン画面の構成を示す略線図である。
【図９】メイン画面の構成を示す略線図である。
【図１０】セレクトエフェクトダイアログを示す略線図である。
【図１１】デバイス設定ダイアログを示す略線図である。
【図１２】出力映像信号フォーマット選択ダイアログを示す略線図である。
【図１３】出力音声信号フォーマット選択ダイアログを示す略線図である。
【図１４】出力音声周波数選択ダイアログを示す略線図である。
【図１５】ＶＴＲ入力設定コントロール処理手順を示すフローチャートである。
【図１６】ＶＴＲ入力設定コントロール処理手順を示すフローチャートである。
【符号の説明】
１……編集システム、２……ハードディスク装置、３……編集装置、４……ビデオテープレコーダ、５……ディスプレイ、６……入力装置、１０……コンピュータ、１１……システム制御部、２２……ケーブル、２３……制御用ケーブル、３６……コントローラ、４０……ＣＰＵ、４１……ＲＯＭ、４２……ＲＡＭ、５０……メイン画面、１００……デバイス設定ダイアログ、１１１……出力信号設定部、１１２……出力映像信号フォーマット設定表示部、１１３……出力音声信号フォーマット設定表示部、１１４……出力音声周波数設定表示部、１１６……出力映像信号フォーマット選択ダイアログ、１１７……出力音声信号フォーマット選択ダイアログ、１１８……出力音声周波数選択ダイアログ、ＲＴ１……デバイス設定処理手順、Ｓ８、Ｓ９……編集映像音声信号。
【図１】
0004042080.tif 000002
【図２】
0004042080.tif 000003
【図３】
0004042080.tif 000004
【図４】
0004042080.tif 000005
【図５】
0004042080.tif 000006
【図６】
0004042080.tif 000007
【図７】
0004042080.tif 000008
【図８】
0004042080.tif 000009
【図９】
0004042080.tif 000010
【図１０】
0004042080.tif 000011
【図１１】
0004042080.tif 000012
【図１２】
0004042080.tif 000013
【図１３】
0004042080.tif 000014
【図１４】
0004042080.tif 000015
【図１５】
0004042080.tif 000016
【図１６】
0004042080.tif 000017